(57)【要約】【課題】読取面から浮いた原稿を読み取る際に読み取られた原稿情報に生じる品質劣化を抑えることが可能にする。【解決手段】画像読取装置において、複数の光源が配列された光源部と、光源から射出された光を画像読取装置の原稿読取面に向かうように反射する反射ミラー部と、光源部から射出された光と反射ミラー部により反射された光とを拡散する光拡散部と、原稿読取面上の原稿により反射された光の一部を通すための開口部と、を有し、光拡散部は、原稿読取面の近くに配置され、光源部から射出された光と反射ミラー部により反射された光とが画像読取面に到達する前に必ず通過するように配置され、開口部の上部を塞がないように折り曲げられている。【選択図】図１
2010192981.tif 000002
【特許請求の範囲】
【請求項１】
画像読取装置において、
複数の光源が配列された光源部と、
前記光源から射出された光を前記画像読取装置の原稿読取面に向かうように反射する反射ミラー部と、
前記光源部から射出された前記光と前記反射ミラー部により反射された前記光とを拡散する光拡散部と、
前記原稿読取面上の原稿により反射された前記光の一部を通すための開口部と、を有し、
前記光拡散部は、前記原稿読取面の近くに配置され、前記光源部から射出された前記光と前記反射ミラー部により反射された前記光とが前記画像読取面に到達する前に必ず通過するように配置され、前記開口部の上部を塞がないように折り曲げられていることを特徴とする照明ユニット。
【請求項２】
前記光拡散部は、前記ミラー部の開口部側の端部と前記開口部の反対側の上端部を結んだ線を遮るように配置されていることを特徴とする請求項１に記載の照明ユニット。
【請求項３】
前記光源は、ＬＥＤであることを特徴とする請求項１または２に記載の照明ユニット。
【請求項４】
前記光拡散部は、少なくとも原稿面側が凹凸形状であることを特徴とする請求項１から３のいずれか１項に記載の照明ユニット。
【請求項５】
前記光源部は、開口部の両側に配置されていることを特徴とする請求項１から４のいずれか１項に記載の照明ユニット。
【請求項６】
前記光拡散部は、開口部の両側に配置されており、
前記反射ミラー部は、開口部の両側に配置されていおり、
前記光源部は、開口部の片側にだけ配置されていることを特徴とする請求項１から４のいずれか１項に記載の照明ユニット。
【請求項７】
請求項１から６のいずれか１項に記載の照明ユニットと、
原稿を読み取る前記原稿読取面と、
前記光源から射出され前記原稿読取面上の前記原稿により反射し前記開口部を通った前記光を反射する第２反射ミラー部と、
前記第２反射ミラー部により反射された前記光を結像させる結像レンズと、
前記結像レンズにより結像された前記光による光信号を電気信号に変換する撮像素子と、を有することを特徴とする画像読取装置。
【請求項８】
前記照明ユニットと、前記第２反射ミラー部と、前記結像レンズと、前記撮像素子とを備えた走行体を有し、
前記走行体を走査することにより前記原稿の情報を読み取ることを特徴とする請求項７に記載の画像読取装置。
【請求項９】
請求項７または８に記載の画像読取装置を有することを特徴とする画像形成装置。
【発明の詳細な説明】
【技術分野】
【０００１】
本発明は、原稿読取面上を通過する原稿を照明する、もしくは、原稿読取面上にある原稿を走査することにより照明する照明ユニット、画像読取装置及び画像形成装置に関する。
【背景技術】
【０００２】
コピー機などに代表される画像形成装置や、原稿の情報を読み取るスキャナなどは、情報を読み取る際に原稿を照明するための照明ユニットを備えている。照明ユニットは、原稿読取面上を通過していく原稿を照明することにより原稿情報を読み取る。または、照明ユニット自体が動くことにより、原稿読取面上に置かれた原稿を走査しながら照明し、原稿情報を読み取る。
【０００３】
これらの装置では、情報を精度よく読み取るために、原稿を均一に照明する必要がある。この観点から、原稿を均一に効率よく照明する技術が種々提案されている。
【０００４】
例えば、特許文献１に記載されている技術は、光源からの照明光をミラーで反射させることで光の利用効率を上げ、さらに原稿面を均一に照明しようとするものである。
【発明の概要】
【発明が解決しようとする課題】
【０００５】
しかしながら、特許文献１の技術では、光源の発光面の法線方向が、原稿面に直接向かっているために、光源の配列方向においては、原理的に照明むらができてしまう。この場合でも、原稿面に密着して配置された原稿であれば均一の照明光で良好に読み取ることが可能ではあるが、例えば、原稿読取面に垂直な方向に画像読取装置の撮像素子への光線が入射すると仮定した場合、原稿が浮き、原稿の法線方向と原稿読取面の法線方向とがなす角の角度が、光線が原稿面に入射する方向と原稿読取面の法線方向のなす角の角度の２倍になるように原稿が置かれたとすると、この強い光の正反射光が直接撮像素子に到達してしまうことになり、白とびした画像として、原稿情報を正しく読み取ることができなくなってしまう。
【０００６】
そこで本発明は、上記問題点に鑑みてなされたもので、読取面から浮いた原稿を読み取る際に読み取られた原稿情報に生じる品質劣化を抑えることが可能な照明ユニット、画像読取装置及び画像形成装置を提供することを目的とする。
【課題を解決するための手段】
【０００７】
上記課題を解決するため、本発明における照明ユニットは、画像読取装置において、複数の光源が配列された光源部と、前記光源から射出された光を前記画像読取装置の原稿読取面に向かうように反射する反射ミラー部と、前記光源部から射出された前記光と前記反射ミラー部により反射された前記光とを拡散する光拡散部と、前記原稿読取面上の原稿により反射された前記光の一部を通すための開口部と、を有し、前記光拡散部は、前記原稿読取面の近くに配置され、前記光源部から射出された前記光と前記反射ミラー部により反射された前記光とが前記画像読取面に到達する前に必ず通過するように配置され、前記開口部の上部を塞がないように折り曲げられていることを特徴とする。
【０００８】
また、本発明における画像読取装置は、上記本発明における照明ユニットと、原稿を読み取る前記原稿読取面と、前記光源から射出され前記原稿読取面上の前記原稿により反射し前記開口部を通った前記光を反射する第２反射ミラー部と、前記第２反射ミラー部により反射された前記光を結像させる結像レンズと、前記結像レンズにより結像された前記光による光信号を電気信号に変換する撮像素子と、を有することを特徴とする。
【０００９】
また、本発明における画像形成装置は、上記本発明における画像読取装置を有することを特徴とする。
【発明の効果】
【００１０】
本発明により、読取面から浮いた原稿を読み取る際に読み取られた原稿情報に生じる品質劣化を抑えることが可能になる。
【図面の簡単な説明】
【００１１】
【図１】本発明の実施形態に係る照明ユニットの一例の機構図である。
【図２】本発明の実施形態に係る照明ユニットの一例の機構図である。
【図３】本発明の実施形態に係る照明ユニットの一例の機構図である。
【図４】本発明の実施形態に係る照明ユニットの一例の機構図である。
【図５】本発明の実施形態に係る照明ユニットの一例の機構図である。
【図６】本発明の実施形態に係る照明ユニットにおけるＬＥＤの配列の一例とその配列による原稿面上の照度分布を示す図である。
【図７】本発明の実施形態に係る照明ユニットを備えた画像読取装置の一例の機構図である。
【図８】本発明の実施形態に係る照明ユニットを備えた画像読取装置の一例の機構図である。
【図９】本発明の実施形態に係る照明ユニットを備えた画像形成装置の一例の機構図である。
【図１０】従来の照明ユニットの一例の機構図である。
【図１１】正反射による異常信号が起きたときの輝度信号分布の一例を示した図である。
【図１２】従来の照明ユニットの一例の機構図である。
【発明を実施するための形態】
【００１２】
次に、発明を実施するための形態について図面を参照して詳細に説明する。
【００１３】
図１に本発明の実施例を示す。基板上に光源であるＬＥＤが所定の間隔で配列してあり、ＬＥＤの光射出方向の前方に、有効範囲外に射出された光を集めるミラーが２枚配置してある。そして、そのさらに前方に拡散板が配置してある。
【００１４】
図１０のように厚い本の綴じ部のように曲がった原稿を読み取ろうとする場合を考える。従来技術では拡散板を配置していないので、原稿の浮いた部分に正反射した光が開口部に垂直に入ってしまうときがある。図１０の場合は、原稿情報の読み取り方向が原稿台の法線方向であるので、照明ユニットの照明方向と原稿台の法線方向のなす角の角度をθとしたとき、照明される原稿位置における原稿面の法線方向と原稿台の法線方向のなす角の角度がθ／２であると、原稿情報の読み取り方向に正反射光が入ってしまう。このとき、図１１のようなLEDの配列に応じた輝度信号が現れ、異常画像として認識されてしまう。
【００１５】
そこで、本発明のように光源部と原稿との間に光拡散効果のある拡散板を挿入すると図１１のような輝度信号は低減できる。このようにすることにより、光源からの光が原稿面に直接入射することがなくなり、浮いた原稿などを読み取った場合でも、直接入射光は拡散されているため、原稿の読み取り情報の品質劣化を抑えることができる。
【００１６】
また、本発明のようにミラーで光を集める場合、できる限り光を集めるようにミラーをできる限り大きくすると、図１２のように原稿情報を読み取る開口部付近にあるミラーからの反射光が拡散板を通らずに直接原稿面を照らしてしまう。このとき、直接に原稿面が照らされるのを防ぐために、拡散板を原稿台の平行方向に延長すると、拡散板で開口部が塞がれてしまい、原稿からの反射光まで拡散板により散乱されてしまうことになる。
【００１７】
そこで、本発明では図１のように拡散板を開口部付近で折り曲げて延長し、図１２のように光線が拡散板を通らず直接原稿に向かうことを防いでいる。このようにすることにより、光源から射出された直接原稿に向かう光とともに、反射ミラーにより反射した光も有効に拡散されることになり、不要な直接入射光を防げる。
【００１８】
拡散板の延長する範囲は、開口部付近に配置されたミラーの開口部側の端部と開口部の反対側の上端部を結んだ線（図中の二点鎖線）を遮るようにすることが望ましい。このように配置することにより、光源部からの照明光を有効に散乱させられるとともに、原稿を押さえる圧板を開放して作業するような場合（本などの原稿を読む際など）においても、光源部のＬＥＤが直接観察されることがなくなるので、ユーザにとって、眩しくなく、安全になるという効果も得られる。
【００１９】
拡散度合いの大きい拡散板を用いた場合には、拡散作用に応じて拡散板の透過率が低下してしまう。それを回避するために、本発明においては拡散板を原稿台の近くに配置している。このとき、光源であるＬＥＤと拡散板の距離が長くなるので、拡散作用の小さい拡散板であっても十分な拡散作用を得ることができるようになる。また、これにより、光源部を直接覗いたとしてもＬＥＤからの光は拡散板上に拡がった大きな像となるために目にも優しいという利点も得られる。
【００２０】
本実施例で使用する光源はＬＥＤに限るものではないが、ＬＥＤを使うことにより、消費電力の低い照明ユニットを構成することができる。さらに、従来、照明系の小型化のために用いられてきた冷陰極管に比べ、電流投入時から光量安定までの時間が短いため、原稿読取開始までの時間を節約できる。また、水銀などの環境汚染物質を含まないという利点もある。
【００２１】
図示はしていないが、拡散板としては、光源からの光が透過し射出する原稿面側の面がランダムな凹凸形状となっているものが良い。例えば、光源からの光が入射する光源側を凹凸形状とし、原稿面側を鏡面としてしまうと、拡散作用を持たせるだけであれば同様の効果が得られるが、原稿で反射された散乱光が拡散板の鏡面で反射してしまい、原稿台裏面との多重反射をしてしまうことになる。この多重反射光が撮像素子に結像されると、それがノイズ成分となってしまう。したがって、この多重反射を低減するためにも、原稿面側を凹凸面とすることが好ましい。
【００２２】
図１では拡散板を開口部付近で折り曲げて延長したが、図２のように拡散板を湾曲させることも可能である。湾曲した拡散板を開口部近傍のミラー端部と反対側開口部の上端部とを結んだ線を遮るように配置することで図１と同じ作用を持たせることができる。
【００２３】
図３は、照明ユニット２台を走査方向（紙面左右方向）に開口部の両側に向き合うようにして配置した例である。この場合、開口部上端部は拡散板の端部となるため、それぞれの拡散板は、それぞれのミラーの端部と、相対する照明ユニットの拡散板上端部とを結んだ線を遮るように配置することが望ましい。このように開口部の両側に配置することで、片側だけに配置するよりも光源部を多く配置することが可能になり、より明るい照明ユニットになるとともに、原稿面に対して両側から照明することができるため、段差のある原稿(切り張り原稿)などのように片側からの照明だけでは影ができてしまう原稿を読み取る場合でも、影ができにくく、異常画像の発生を抑えることが可能となる。
【００２４】
また、図４のように図２と同様に拡散板を湾曲させた場合には、それぞれの拡散板の湾曲部に、相対する照明ユニットのミラー端部からの直線が接するように２つの拡散板を位置とすることで、図３と同様な効果を得られる。
【００２５】
図５は、光源は片側にしかないが、開口部の反対側に反射ミラーを配置し光源からの光を反射することにより、開口部の両側から原稿を照明できるようにしたものである。また、光源からの光を集光するためのミラーも配置され、直接原稿に光がいかないように折り曲げられた拡散板が開口部の両側に配置されている。本実施例であれば、図３、図４のように光源部を両側に配置するよりも照明ユニットの小型化、省電力化が達成できる。
また、開口部付近の配置されたミラー端部と拡散板の延長部の端部との間に空間があるため、光源からの射出光が、拡散板を通過することなく開口部の反対側に配置されている反射ミラーに有効に到達することができ（斜線領域）、両側照射の照明比率を下げることなく、良好な両側照射が可能となる。
【００２６】
図６の実施例は、基板に対するＬＥＤの配列を示すものである。基板に対して等間隔でＬＥＤを配列することで、ＬＥＤの配列方向に対して原稿面で均一な照明が得られるが、図６のように基板の両端部におけるＬＥＤの配列間隔Ｐ２を基板中心部におけるＬＥＤの配列間隔Ｐ１よりも狭くすることにより、基板の両端部で高い照明照度を得ることができる。このように配列させることにより、結像レンズで縮小して原稿情報を読み取るときに、結像レンズの画角で発生する、撮像素子上の周辺光量の低下を抑えることが可能になる。
【００２７】
また、本発明のそれぞれの実施例では最小限のミラーでの構成を図示した。本実施例よりもミラー枚数を増やし、更に効率良く光を原稿面上に集めることも可能である。
【００２８】
図７は、本発明の画像読取装置の実施例である。読み取られる原稿１２は図１における「原稿台」に対応するコンタクトガラス１１上に平面的に定置され、コンタクトガラス１１の下部に照明手段が配置されている。照明手段としては図７の面に直交する方向に光源を並べた、本発明の照明ユニット１３Ａを用い、これにより「図７の面に直交する方向に延びたスリット状部分」を照明させる。原稿１２の照明された部分からの反射光（画像による反射光）は、第１走行体１３に設けられた第１ミラー１３Ｂにより反射された後、第２走行体１４に設けられた第２ミラー１４Ａ、第３ミラー１４Ｂにより順次反射され、結像レンズ１５を透過し、撮像素子である光電変換素子としてのラインセンサ１６の撮像面上に原稿画像の縮小像として結像する。
【００２９】
第１〜第３ミラー１３Ｂ，１４Ａ、１４Ｂは「反射光学系」を構成する。第１走行体１３、第２走行体１４は、図示されない駆動手段により、それぞれ矢印方向（図の右方）に移動する。第１走行体１３の移動速度は「Ｖ」、第２走行体１４の移動速度は「Ｖ／２」である。この走行により、第１走行体１３、第２走行体１４は、それぞれ「破線で示す位置」まで移動する。照明ユニット１３Ａと、第１ミラー１３Ｂは、第１走行体１３と一体的に移動し、コンタクトガラス１上の原稿１２の全体を「照明走査」する。第１、第２走行体の移動速度比は「Ｖ：Ｖ／２」であるので「照明走査される原稿部分から結像レンズに至る光路長」は移動中不変に保たれる。
【００３０】
「撮像部」であるラインセンサ１６は、「色分解手段として赤（Ｒ）、緑（Ｇ）、青（Ｂ）のフィルタを持った光電変換素子（１６Ａ、１６Ｂ、１６Ｃ）を、１チップに３列に配列させた３ラインＣＣＤ（３ラインのラインセンサ）」であり、原稿１２の照明走査に伴い、原稿画像を画像信号化する。このようにして原稿１２の読み取りが実行され、原稿１２のカラー画像は、赤、緑、青の３原色に色分解して読み取られる。
【００３１】
また、本実施例の画像読取装置は、画像をフルカラーで読み取る装置であって、結像レンズ１５の結像光路中に設けられた「色分解手段（前記３ラインＣＣＤに設けられた赤、緑、青のフィルタ）」を有する。
【００３２】
なお、画像読取装置の他の形態として「コンタクトガラス上の原稿をスリット状に照明する照明手段と、ラインセンサと、原稿の被照明部からラインセンサに至る結像光路を形成する複数のミラーと、上記結像光路上に配置される結像レンズと」を一体化した読取ユニットを、駆動手段により原稿に相対的に走行させることにより原稿を読取走査するようにした形態のものとすることもできる。このような形態にすることで、小型、かつ、省エネルギーな画像読取装置を達成できる。
【００３３】
「色分解」は、上記とは別に、結像レンズとラインセンサ（ＣＣＤ）との間に色分解プリズムやフィルタを選択的に挿入し、Ｒ（赤）、Ｇ（緑）、Ｂ（青）に色分解する方法や「Ｒ、Ｇ、Ｂの光源を順次点灯させ原稿を照明する方法」を用いることができる。
【００３４】
本発明の画像読取装置であれば、良好な画像読み取りが可能になるとともに、従来のキセノン、ハロゲンランプよりも省エネルギーとなり、発熱の発生を抑えることができ、発熱による熱膨張等により撮像素子へのピントがずれてしまうような結像性能の劣化も抑えることができる。
【００３５】
図８は図７と異なる画像読取装置に用いられる読取ユニットの実施例である。図８の読取ユニットは、反射ミラー２５ａ、ｂ、ｃと結像レンズ２２、ＣＣＤ等によるラインセンサ２４、電気回路２３、本発明の照明ユニット２６により構成した読取ユニット２１である。読取ユニット２１は、コンタクトガラス１１の近傍を図の左右方向に走査しながらコンタクトガラス上に配置された原稿１２を照明ユニットで照明し、原稿からの反射光を反射ミラーにより反射し、結像レンズで縮小結像し、ラインセンサで光電変換しながら原稿情報を読み取る。
【００３６】
本発明の読取ユニットを画像読取装置に用いることにすれば、良好な画像読み取りが可能となるとともに、図７のようにミラーが動く範囲を確保できるように原稿面から撮像素子までの光路長を長く取る必要がなくなるため、小型な画像読取装置が可能となる。また、従来用いられてきた冷陰極管のように水銀等の有害物質を含むことなく画像読取装置を達成できる。
【００３７】
図９は、本発明の画像形成装置の実施例である。本発明の画像形成装置は、装置上部に位置する画像読取装置２００と、その下位に位置する「画像形成部」とを有する。画像読取装置２００の部分は、図７に即して説明したものと同様であり、各部には図７と同じ符号を付してある。
【００３８】
画像読取装置２００の３ラインのラインセンサ（撮像手段）１６から出力される画像信号は画像処理部１２００に送られ、画像処理部１２００において処理されて「書き込み用の信号（イエロー・マゼンタ・シアン・黒の各色を書き込むための信号）」に変換される。
【００３９】
画像形成部は、「潜像担持体」として円筒状に形成された光導電性の感光体１１００を有し、その周囲に、帯電手段としての帯電ローラ１１１０、リボルバ式の現像装置１１３０、転写ベルト１１４０、クリーニング装置１１５０が配設されている。帯電手段としては帯電ローラ１１１０に代えて「コロナチャージャ」を用いることもできる。
【００４０】
信号処理部１２００から書き込み用の信号を受け、光走査により感光体１１００に書き込みを行う光走査装置１１７０は、帯電ローラ１１１０と現像装置１１３０との間において感光体１１００の光走査を行うようになっている。
【００４１】
符号１１６０は定着装置、符号１１８０はカセット、符号１１９０はレジストローラ対、符号１２２０は給紙コロ、符号１２１０はトレイ、符号Ｓは「記録媒体」としての転写紙を示している。
【００４２】
画像形成を行うときは、光導電性の感光体１１００が時計回りに等速回転され、その表面が帯電ローラ１１１０により均一帯電され、光走査装置１１７０のレーザビームの光書込による露光を受け、静電潜像が形成される。形成された静電潜像は所謂「ネガ潜像」であって画像部が露光されている。
【００４３】
「画像の書き込み」は、感光体１１００の回転に従い、イエロー画像、マゼンタ画像、シアン画像、黒画像の順に行われ、形成された静電潜像はリボルバ式の現像装置１１３０の各現像ユニットＹ（イエロートナーによる現像を行う）、Ｍ（マゼンタトナーによる現像を行う）、Ｃ（シアントナーによる現像を行う）、Ｋ（黒トナーによる現像を行う）により順次反転現像されてポジ画像として可視化され、得られた各色トナー画像は、転写ベルト１１４０上に転写電圧印加ローラ１１４Ａにより順次転写され、上記各色トナー画像が転写ベルト１１４０上で重ね合わせられてカラー画像となる。
【００４４】
転写紙Ｓを収納したカセット１１８０は、画像形成装置本体に脱着可能であり、図のごとく装着された状態において、収納された転写紙Ｓの最上位の１枚が給紙コロ１２２０により給紙され、給紙された転写紙Ｓはその先端部をレジストローラ対１１９０に捕えられる。
【００４５】
レジストローラ対１１９０は、転写ベルト１１４０上の「トナーによるカラー画像」が転写位置に移動するのにタイミングを合わせて転写紙Ｓを転写部に送り込む。送り込まれた転写紙Ｓは、転写部においてカラー画像と重ね合わせられ、転写ローラ１１４Ｂの作用によりカラー画像を静電転写される。転写ローラ１１４Ｂは、転写時に転写紙Ｓをカラー画像に押圧する。
【００４６】
カラー画像を転写された転写紙Ｓは定着装置１１６０に送られ、定着装置１１６０においてカラー画像を定着され、図示されないガイド手段による搬送路を通り、図示されない排紙ローラ対によりトレイ１２１０上に排出される。各色トナー画像が転写されるたびに、感光体１１００の表面はクリーニング装置１１５０によりクリーニングされ、残留トナーや紙粉等が除去される。
【００４７】
本発明の画像形成装置であれば、良好な画像複写が可能となる。なお、画像形成部の構成は、周知の単色画像形成用の構成に変えることができる。
【００４８】
以上、本発明の好適な実施の形態により本発明を説明した。ここでは特定の具体例を示して本発明を説明したが、特許請求の範囲に定義された本発明の広範囲な趣旨および範囲から逸脱することなく、これら具体例に様々な修正および変更が可能である。
【００４９】
また、本発明における照明ユニットは、前記光拡散部は、前記ミラー部の開口部側の端部と前記開口部の反対側の上端部を結んだ線を遮るように配置されているようにしても良い。
【００５０】
また、本発明における照明ユニットは、前記光源は、ＬＥＤであるようにしても良い。
【００５１】
また、本発明における照明ユニットは、前記光拡散部は、少なくとも原稿面側が凹凸形状であるようにしても良い。
【００５２】
また、本発明における照明ユニットは、前記光源部は、開口部の両側に配置されているようにしても良い。
【００５３】
また、本発明における照明ユニットは、前記光拡散部は、開口部の両側に配置されており、前記反射ミラー部は、開口部の両側に配置されていおり、前記光源部は、開口部の片側にだけ配置されているようにしても良い。
【００５４】
また、本発明における画像読取装置は、前記照明ユニットと、前記第２反射ミラー部と、前記結像レンズと、前記撮像素子とを備えた走行体を有し、前記走行体を走査することにより前記原稿の情報を読み取るようにしても良い。
【符号の説明】
【００５５】
１１    コンタクトレンズ
１２    原稿
１３    第１走行体
１３Ａ    照明ユニット
１３Ｂ    第１ミラー
１４    第２走行体
１４Ａ    第２ミラー
１４Ｂ    第３ミラー
１５    結像レンズ
１６    ラインセンサ
【先行技術文献】
【特許文献】
【００５６】
【特許文献１】特開２００６−０４２０１６号公報
【図１】
2010192981.tif 000003
【図２】
2010192981.tif 000004
【図３】
2010192981.tif 000005
【図４】
2010192981.tif 000006
【図５】
2010192981.tif 000007
【図６】
2010192981.tif 000008
【図７】
2010192981.tif 000009
【図８】
2010192981.tif 000010
【図９】
2010192981.tif 000011
【図１０】
2010192981.tif 000012
【図１１】
2010192981.tif 000013
【図１２】
2010192981.tif 000014